(57)【特許請求の範囲】
【請求項１】
上部に吹出口と下部に吸込口とを備えた本体ケースの内部に、加湿手段および送風機を介して前記吸込口と前記吹出口を結ぶ通風路を形成し、前記加湿手段に水を供給する給水容器を備えた加湿機であって、前記加湿手段は、前記本体ケースの下部に配設され、一定水位の水を貯水する貯水容器と、前記貯水容器の水に下部が浸漬される加湿フィルターとからなり、前記給水容器は、前記貯水容器の上方に装着され、縦長形状で、側面に形成された給水容器側平面部を前記本体ケースの側面に形成された本体ケース側平面部に突き合わせ、前記給水容器側平面部と前記本体ケース側平面部の上部に形成された第１の係合部、および、前記貯水容器と係合する第２の係合部によって前記本体ケースに着脱自在に保持され、前記給水容器側平面部と前記本体ケース側平面部との間に隙間を形成する構成とし、前記本体ケース側平面部の直下に、前記貯水容器が上方に開口して配設され、前記加湿フィルターを前記貯水容器から上方へ突出させて設け、前記本体ケース側平面部の下部を、前記貯水容器と一体となって前記本体ケースに対し着脱可能な着脱平面部とし、前記加湿フィルターを前記本体ケース側平面部の左右方向寸法より広い形状で配設し、前記本体ケース側平面部の下部を側方へ延設して前記本体ケースに対し着脱可能な着脱側面部を形成し、前記着脱側面部に前記吸込口を設け、前記吸込口に除塵フィルターを設けたことを特徴とする小型加湿機。
【請求項２】
前記給水容器は、円筒の外周側面の一部に前記給水容器側平面部を垂直方向に形成した形状としたことを特徴とする請求項１に記載の小型加湿機。
【請求項３】
前記給水容器は、下端部に給水口を有した容器部と、前記給水口に螺合され、給水弁を下面に備えたキャップ部とからなり、前記キャップ部は外周部を前記下面から下方へ延設した円筒部を備え、前記円筒部を、その下端部が前記貯水容器の所定水位に位置する高さにしたことを特徴とする請求項２に記載の小型加湿機。
【請求項４】
第１の係合部は、前記本体ケース側平面部の上部に上方へ向けて形成した本体側突部と、前記本体本体側突部に係合するように前記給水容器側平面部の上部に下方へ向けて形成した容器側突部部とからなり、前記第２の係合部は、前記貯水容器の上面に形成した開口部と、前記開口部に嵌入される前記給水容器下部の嵌入部とからなることを特徴とする請求項１〜３のいずれかに記載の小型加湿機。
【請求項５】
前記第１の係合部と前記第２の係合部との間に第３の係合部を設け、前記第３の係合部は、前記給水容器側平面部に形成された係合突起と、前記本体ケース側平面部に前方へ突出して形成され前後方向に弾性変形する爪部とからなり、前記係合突起と爪部とが上下方向に係合する構成としたことを特徴とする請求項２〜４のいずれかに記載の小型加湿機。
【請求項６】
本体ケース側平面部の上下方向中間部の両側部に、前記給水容器側平面部に当接する当接突起を設けたことを特徴とする請求項５に記載の小型加湿機。
【請求項７】
請求項１〜６のいずれかに記載の小型加湿機にあって、本体ケース内下部の通風路に加湿手段および送風機を配設し、上部の通風路に静電霧化手段を配設したことを特徴とする静電霧化手段搭載の小型加湿機。
【発明の詳細な説明】
【技術分野】
【０００１】
本発明は、給水された水を貯水した貯水槽の水に、一部を浸漬した加湿フィルターに通風して加湿する気化式の加湿機であって、とくに、使用者の近くに置いて運転するパーソナルユースに適した小型加湿機に関するものである。
【背景技術】
【０００２】
従来より、事務所等の広い空間では、湿度の低い乾燥した時季に大型の加湿機を複数台置いて、適度な加湿をしていたが、設置スペースや水の補給等の運転管理の関係から、設置台数に限度があり、快適な湿度状態にまでは至っていないこともあった。
【０００３】
また、勉強部屋のように、在室者が一箇所に長時間座っている所では、その在室者のまわりのごく限られた空間が快適な湿度状態になれば、目的が達成される。
【０００４】
このようなことから、使用者の周囲を効率よく加湿して、使用者のまわりを快適な湿度状態にする小型加湿機が提案されている（例えば、特許文献１参照）。
【０００５】
特許文献１に記載の加湿器は、外郭を形成する筐体の内部に設けられた送風ファンによって、筐体の前面となる一側面の中央部に設けられた吸い込み口から、その付近の空気を吸い込み、吸い込んだ空気を内蔵された加湿ユニットにより加湿した後、筐体内に同心状に設けられた内部ケースと筐体との間に形成された環状の流路に送り、この流路を通過した加湿空気を筐体の前記一側面の外周側（吸い込み口を囲む形状）に形成された環状の開口部から、前方（使用者が存在する方向）に向けて吹き出す構成となっている。
【０００６】
この構成により、筐体の一側面の外周側に形成された環状の開口部から加湿された空気が吹き出され、いわゆるエアカーテン状の流れを形成し、さらに、中央部の吸い込み口で加湿器の前方の空気を吸い込むことで、エアカーテン状の流れは中央側に引き寄せられるように湾曲する。その結果、エアカーテン状の流れの内側は、外側に比べ高湿度の領域となる。
【０００７】
このようにして、加湿器の前方の限られた空間を重点的に加湿することができる。
【先行技術文献】
【特許文献】
【０００８】
【特許文献１】特開２００６−５７８７７号公報
【発明の概要】
【発明が解決しようとする課題】
【０００９】
使用者の近くに置いて運転するパーソナルユースの小型加湿機は、その置く場所が事務所や勉強部屋の机の上、あるいは、ベッド等の近くとなるので、機器の占めるスペースは狭いものであるが、特許文献１に記載の加湿器では、加湿部が、筐体内に二重管状の流路を構成する内部ケース内に設けられており、この加湿部に水を供給する給水タンクは、筐体に形成した開口から内部ケース内まで挿入して取り付けられるものとなるので、作業頻度の高い給水タンクへ水を補給するための着脱作業が、狭いスペースではしづらい場合がある。
【００１０】
そこで、本発明は、上記従来の課題を解決して、事務所等の机の上やベッド等の近くの狭い場所でも、水を補給するための給水タンクの着脱作業が容易にできる小型加湿機を提供することを目的とする。
【課題を解決するための手段】
【００１１】
そして、この目的を達成するために、本発明の小型加湿機は、上部に吹出口と下部に吸込口とを備えた本体ケースの内部に、加湿手段および送風機を介して前記吸込口と前記吹出口を結ぶ通風路を形成し、前記加湿手段に水を供給する給水容器を備えた加湿機であって、前記加湿手段は、前記本体ケースの下部に配設され、一定水位の水を貯水する貯水容器と、前記貯水容器の水に下部が浸漬される加湿フィルターとからなり、前記給水容器は、前記貯水容器の上方に装着され、縦長形状で、側面に形成された給水容器側平面部を前記本体ケースの側面に形成された本体ケース側平面部に突き合わせ、前記給水容器側平面部と前記本体ケース側平面部の上部に形成された第１の係合部、および、前記貯水容器と係合する第２の係合部によって前記本体ケースに着脱自在に保持され、前記給水容器側平面部と前記本体ケース側平面部との間に隙間を形成する構成とし、前記本体ケース側平面部の直下に、前記貯水容器が上方に開口して配設され、前記加湿フィルターを前記貯水容器から上方へ突出させて設け、前記本体ケース側平面部の下部を、前記貯水容器と一体となって前記本体ケースに対し着脱可能な着脱平面部とし、前記加湿フィルターを前記本体ケース側平面部の左右方向寸法より広い形状で配設し、前記本体ケース側平面部の下部を側方へ延設して前記本体ケースに対し着脱可能な着脱側面部を形成し、前記着脱側面部に前記吸込口を設け、前記吸込口に除塵フィルターを設けたものであり、これにより所期の目的を達成するものである。
【発明の効果】
【００１２】
本発明によれば、給水容器は、給水容器側平面部を本体ケース側平面部に突き合わせ、第１と第２の係合部によって本体ケースの側面側に着脱自在に保持されるので、給水容器への水の補給作業が容易にでき、しかも、平面部同士の広い面積での突き合わせにしても、その間の隙間によって、その間に付着した水が残って汚れとなることがなく、給水容器を外したときに使用者に見える本体ケースの表面における汚れの発生をなくすことができ、本体ケース側平面部の直下に、貯水容器が上方に開口して配設されたものであり、第１の係合部と第２の係合部が垂直方向に並んで設けられるので、縦長形状の給水容器の着脱がスムーズに行え、給水容器の本体ケースに対する着脱が容易なものとなり、加湿フィルターを貯水容器から上方へ突出させて設け、本体ケース側平面部の下部を、貯水容器と一体となって本体ケースに対し着脱可能な着脱平面部としたものであり、加湿性能を確保するために加湿フィルターを貯水容器から上方へ突出させて設けても、この突出部の前方に位置する本体ケース側平面部の下部である着脱平面部を貯水容器とともに取り外すので、加湿フィルターも貯水容器とともに取り外すことができ、加湿フィルターを貯水容器から上方へ突出させて設けた小型加湿機にあっても、加湿フィルターの本体ケースに対する着脱が貯水容器の着脱とともにでき、加湿手段の着脱が容易なものとなり、加湿フィルターを本体ケース側平面部の左右方向寸法より広い形状で配設し、本体ケース側平面部の下部を側方へ延設して本体ケースに対し着脱可能な着脱側面部を形成したものであり、加湿フィルターの左右側部の前方に位置する本体ケース側平面部下部の側方部である着脱側面部を貯水容器とともに取り外すので、加湿フィルターも貯水容器とともに取り外すことができ、加湿フィルターを本体ケース側平面部の左右方向寸法より広い形状で配設した小型加湿機にあっても、加湿フィルターの本体ケースに対する着脱が、貯水容器の着脱とともにでき、加湿手段の着脱が容易なものとなり、着脱側面部に吸込口を設け、吸込口に除塵フィルターを設けたものであり、加湿フィルターをお手入れのために本体ケースから取り出すとき、除塵フィルターもいっしょに取り出すことができ、加湿フィルターのお手入れ時に、除塵フィルターをともに清掃できるという効果を得ることができる。
【図面の簡単な説明】
【００１３】
【図１】本発明の実施の形態１の小型加湿機を示す斜視図
【図２】同小型加湿機の断面図
【図３】同小型加湿機の分解斜視図
【図４】同小型加湿機の給水容器取外し時の斜視図
【図５】同給水容器の取付状況を示す要部断面図
【図６】同給水容器の取付部を示す断面図
【図７】本発明の実施の形態２の小型加湿機における給水容器の要部断面図
【図８】本発明の実施の形態２の静電霧化手段搭載の小型加湿機を示す断面図
【発明を実施するための形態】
【００１４】
本発明の請求項１記載の小型加湿機は、上部に吹出口と下部に吸込口とを備えた本体ケースの内部に、加湿手段および送風機を介して前記吸込口と前記吹出口を結ぶ通風路を形成し、前記加湿手段に水を供給する給水容器を備えた加湿機であって、前記加湿手段は、前記本体ケースの下部に配設され、一定水位の水を貯水する貯水容器と、前記貯水容器の水に下部が浸漬される加湿フィルターとからなり、前記給水容器は、前記貯水容器の上方に装着され、縦長形状で、側面に形成された給水容器側平面部を前記本体ケースの側面に形成された本体ケース側平面部に突き合わせ、前記給水容器側平面部と前記本体ケース側平面部の上部に形成された第１の係合部、および、前記貯水容器と係合する第２の係合部によって前記本体ケースに着脱自在に保持され、前記給水容器側平面部と前記本体ケース側平面部との間に隙間を形成する構成とし、前記本体ケース側平面部の直下に、前記貯水容器が上方に開口して配設され、前記加湿フィルターを前記貯水容器から上方へ突出させて設け、前記本体ケース側平面部の下部を、前記貯水容器と一体となって前記本体ケースに対し着脱可能な着脱平面部とし、前記加湿フィルターを前記本体ケース側平面部の左右方向寸法より広い形状で配設し、前記本体ケース側平面部の下部を側方へ延設して前記本体ケースに対し着脱可能な着脱側面部を形成し、前記着脱側面部に前記吸込口を設け、前記吸込口に除塵フィルターを設けたものであり、給水容器と本体ケースの両側面に形成された平面部を突き合わせて、縦長形状の給水容器を上下の係合部によって着脱でき、さらに、給水容器に水を入れるときに給水容器の表面に水が付着し、その状態で本体ケースに取り付けても、給水容器側平面部と本体ケース側平面部との間には隙間が形成され、付着した水が残ることなく短時間で乾燥するので、給水容器の着脱作業が容易になるとともに、給水容器の本体ケースへの取り付け保持を容易な、かつ、安定したものとするために、両方に形成した平面部同士の広い面積での突き合わせにしても、その間に付着した水が残って汚れとなることがなく、給水容器を外したときに使用者に見える本体ケースの表面における汚れの発生をなくすことができ、本体ケース側平面部の直下に、貯水容器が上方に開口して配設されたものであり、第１の係合部と第２の係合部が垂直方向に並んで設けられるので、縦長形状の給水容器の着脱がスムーズに行え、給水容器の本体ケースに対する着脱が容易なものとなり、加湿フィルターを貯水容器から上方へ突出させて設け、本体ケース側平面部の下部を、貯水容器と一体となって本体ケースに対し着脱可能な着脱平面部としたものであり、加湿性能を確保するために加湿フィルターを貯水容器から上方へ突出させて設けても、この突出部の前方に位置する本体ケース側平面部の下部である着脱平面部を貯水容器とともに取り外すので、加湿フィルターも貯水容器とともに取り外すことができ、加湿フィルターを貯水容器から上方へ突出させて設けた小型加湿機にあっても、加湿フィルターの本体ケースに対する着脱が貯水容器の着脱とともにでき、加湿手段の着脱が容易なものとなり、加湿フィルターを本体ケース側平面部の左右方向寸法より広い形状で配設し、本体ケース側平面部の下部を側方へ延設して本体ケースに対し着脱可能な着脱側面部を形成したものであり、加湿フィルターの左右側部の前方に位置する本体ケース側平面部下部の側方部である着脱側面部を貯水容器とともに取り外すので、加湿フィルターも貯水容器とともに取り外すことができ、加湿フィルターを本体ケース側平面部の左右方向寸法より広い形状で配設した小型加湿機にあっても、加湿フィルターの本体ケースに対する着脱が、貯水容器の着脱とともにでき、加湿手段の着脱が容易なものとなり、着脱側面部に吸込口を設け、吸込口に除塵フィルターを設けたものであり、加湿フィルターをお手入れのために本体ケースから取り出すとき、除塵フィルターもいっしょに取り出すことができ、加湿フィルターのお手入れ時に、除塵フィルターをともに清掃できるという効果を奏する。
【００１６】
また、請求項２記載の小型加湿機は、請求項１に記載の小型加湿機において、前記給水容器は、円筒の外周側面の一部に前記給水容器側平面部を垂直方向に形成した形状としたものであり、給水容器は、円筒状の容器をつかんで持つものとなり、持ちやすくなり、本体ケースに対する着脱がより容易なものとなる。
【００１７】
また、請求項３記載の小型加湿機は、請求項２に記載の小型加湿機において、前記給水容器は、下端部に給水口を有した容器部と、前記給水口に螺合され、給水弁を下面に備えたキャップ部とからなり、前記キャップ部は外周部を前記下面から下方へ延設した円筒部を備え、前記円筒部を、その下端部が前記貯水容器の所定水位に位置する高さにしたものであり、給水容器は、その直下にある貯水容器から上方へ外すだけで簡単に取り外すことができるので、仮に、蓋部に水が多量に付着していると、取り外したときに付着した水が滴下して機器付近を濡らしてしまうことがあるが、本発明では、貯水容器の水は円筒部の下端環状面に触れているのみで付着量がわずかとなり、給水容器を本体ケースから水の滴下に十分に注意を払って取り外さなくても、水の滴下を抑えることができる。
【００１８】
また、請求項４記載の小型加湿機は、請求項１〜３のいずれかに記載の小型加湿機において、第１の係合部は、前記本体ケース側平面部の上部に上方へ向けて形成した本体側突部と、前記本体本体側突部に係合するように前記給水容器側平面部の上部に下方へ向けて形成した容器側突部部とからなり、前記第２の係合部は、前記貯水容器の上面に形成した開口部と、前記開口部に嵌入される前記給水容器下部の嵌入部とからなるものであり、第１の係合部と第２の係合部における係合は、ともに上方から下方へ向けて行うものであり、給水容器の着脱がよりスムーズに行え、給水容器の本体ケースへの着脱が、さらに容易なものとなる。
【００２２】
また、請求項５記載の小型加湿機は、請求項１〜４のいずれかに記載の小型加湿機において、前記第１の係合部と前記第２の係合部との間に第３の係合部を設け、前記第３の係合部は、前記給水容器側平面部に形成された係合突起と、前記本体ケース側平面部に前方へ突出して形成され前後方向に弾性変形する爪部とからなり、前記係合突起と爪部とが上下方向に係合する構成としたものであり、給水弁のスプリングによって給水容器が受ける上方へ押し上げられる力を、第３の係合部によって受け止めるとともに、爪部の前方への押圧によって、本体ケース側平面部との間に隙間を形成して第１の係合部と第２の係合部とにより係合保持された給水容器が、安定した状態に保持されることとなる。
【００２３】
また、請求項６記載の小型加湿機は、請求項５に記載の小型加湿機において、本体ケース側平面部の上下方向中間部の両側部に、前記給水容器側平面部に当接する当接突起を設けたものであり、本体ケース側平面部と給水容器側平面部との間に隙間が形成されて、給水容器の左右側部に前後方向のがたつきが、すなわち回動方向に若干の動きが発生するのを抑えることができ、給水容器が本体ケースに対して、より安定した状態に保持される。
【００２４】
また、請求項７記載の静電霧化手段搭載の小型加湿機は、請求項１〜６のいずれかに記載の小型加湿機にあって、本体ケース内下部の通風路に加湿手段および送風機を配設し、上部の通風路に静電霧化手段を配設したものであり、本体ケースの高さが増して、請求項１〜６における作用効果がより顕著なものとなる。
【００２５】
以下、本発明の実施の形態について、図１〜図３を参照しながら説明する。
【００２６】
（実施の形態１）
本発明の実施の形態１の小型加湿機は、図１〜図４に示すように、天面の吹出口１と、後部となる側面下部に四角形の開口２とを形成した円筒状の本体ケース３と、四角形の開口２から本体ケース３内に挿入され、あるいは、取り出される加湿手段４と、加湿手段４と吹出口１との間に設けられる送風機５と、加湿手段４に水を供給する給水容器６からなる。
【００２７】
そして、加湿手段４には、加湿手段４を開口２から本体ケース３内に挿入すると、開口２を塞ぐとともに、本体ケース３の吸込口７を形成する吸込開口８を備えた吸込部９が、着脱自在に取り付けられている。すなわち、加湿手段４を本体ケース３に装着すると、後述する加湿フィルター１３と送風機５を介して、吸込口７と吹出口１を連通する通風路１０を本体ケース３内に形成する。また、吸込開口８は、本体ケース３内に吸い込まれる空気に含まれる塵埃等を捕集する除塵フィルター１１を有している。
【００２８】
そして、加湿手段４は、上面を開口し、一定水位の水を貯水する貯水容器１２と、貯水容器１２内に下部を挿入して水に浸漬され、上方を突出させた加湿フィルター１３と、貯水容器１２の上面開口に取り付けられ、加湿フィルター側開口部１４と給水容器側開口部１５とを備えたカバー１６とからなる。
【００２９】
加湿フィルター１３は、厚みのある長方形状で、下部をカバー１６の加湿フィルター側開口部１４に嵌入して保持され、通風路１０を仕切るように横長状に配設され、厚み方向に通風される。
【００３０】
給水容器６は、概略形状がボトル状の縦長形状で、外周側面に軸心方向へ平面部（以下、給水容器側平面部１７という）を形成し、先端部に給水口１８を開口した容器部１９と、給水口１８に螺合保持され、給水弁２０を備えたキャップ部２１とからなり、キャップ部２１は、給水弁２０を設けた下面の外周から下方へ円筒状に延設し、下方が開口した所定の高さの切欠き２２（図３参照）を形成した円筒部２３を備えている。
【００３１】
容器部１９には、給水容器側平面部１７の上部に下方へ向けて容器側突部２４を突設し、中央部に前方へ突出した係合突起２５を設けている。
【００３２】
また、図４に示すように、本体ケース３の後部側面には、給水容器側平面部１７と同じ高さの平面部（以下、本体ケース側平面部２６という）を垂直方向に形成し、この本体ケース側平面部２６の上部に上方へ向け本体側突部２７を突設し、中央部に、前方へ突出させて形成され前後方向に弾性変形する爪部２８が設けられ、また、爪部２８の両側方に、前方へ突出した当接突起２９が設けられている。
【００３３】
そして、加湿手段４を開口２から本体ケース３内に挿入したとき、本体ケース側平面部２６の直下に、カバー１６の給水容器側開口部１５が位置する構成となっている。
【００３４】
また、加湿手段４を本体ケース３内に挿入すると、吸込部９が開口２を塞ぐが、吸込部９の給水容器側開口部１５の直上の部分は、本体ケース側平面部２６の下部側を兼ねた着脱平面部３０となっている。
【００３５】
そして、着脱平面部３０の両側方には、円弧状面を延設して、本体ケース３の側面の一部をなす着脱側面部３１が形成されている。
【００３６】
上記構成の小型加湿機における水を補給するための給水容器６の着脱作業について、以下に説明する。
【００３７】
まず、本体ケース３から取り外し、注水されて満水となった給水容器６を装着する作業から説明する。
【００３８】
図５に示すように、給水容器６側面の給水容器側平面部１７を本体ケース３側面の本体ケース側平面部２６に突き合わせ、給水容器６を引き下ろして、給水容器側平面部１７の上部に設けられた容器側突部２４を、本体ケース側平面部２６の上部に設けられた本体側突部２７に上方から係合する。すなわち、容器側突部２４と本体側突部２７とが上部に形成された第１の係合部となる。
【００３９】
第１の係合部における係合と併せて、給水容器６の容器部１９の下端部が、カバー１６の給水容器側開口部１５に嵌入されて保持される。すなわち、容器部１９の下端部とカバー１６の給水容器側開口部１５とによって第２の係合部が形成される。
【００４０】
このように、第１の係合部による係合が、容器側突部２４を本体側突部２７に上から下へ向けての係合で、第２の係合部による係合が、容器部１９を本体ケース側平面部２６の直下にある給水容器側開口部１５に上方から嵌入し、ともに、縦長形状の給水容器６をほぼまっすぐ下方へ引き下ろして行う作業となり、また、給水容器６はボトル状であり、これらの動作を片手でつかんで行うことができ、作業はごく容易なものとなる。
【００４１】
ところで、給水容器は、一般的に、給水弁を閉鎖方向に付勢するスプリングを有しており、この付勢力に抗して装着されるので、装着時、上方へ押し上げられる力を受けている。
【００４２】
そこで、本実施の形態１の小型加湿機では、本体ケース側平面部２６の中央部の爪部２８と給水容器側平面部１７の係合突起２５とを上下方向に係合して、給水容器６の上方への移動を阻止している。
【００４３】
さらに、給水容器６は、給水容器側平面部１７が爪部２８の弾性力によって押圧され、前後方向に安定した状態で保持される。
【００４４】
また、上記第１および第２の係合部における係合の過程において、容器側突部２４と本体側突部２７の係合がスムーズに行えるように、両者は遊びをもって係合される構成としているが、そのため、中央部が爪部２８によって押圧された給水容器６の左右側部に前後方向のがたつき、すなわち、回動方向に若干のがたつきが発生する。
【００４５】
しかし、このがたつきは、爪部２８の両側方に設けられた当接突起２９（図４参照）によって阻止され、がたつきによる係合突起２５と爪部２８との係合外れを阻止する。
【００４６】
そして、図６に示すように、上記の中央部における爪部２８の押圧と両側方の当接突起２９とによって、給水容器側平面部１７と本体ケース側平面部２６との間には、常に隙間３２が形成される。
【００４７】
給水容器６は注水する際に水が付着することが多いが、水が付着したまま本体ケース３に装着しても、給水容器側平面部１７と本体ケース側平面部２６との間の隙間３２によって、この間に水が長く残ることなく短時間で乾燥し、給水容器側平面部１７と本体ケース側平面部２６に汚れが発生することはなく、機器が近くに置かれ使用者の目に触れやすい本体ケース３の外表面や給水容器６の美観を保つことができる。
【００４８】
そして、運転を継続して給水容器６の水がわずかとなると、給水容器６を取り外して水を補給するが、この取り外しは、上記の装着と逆に、給水容器６を上方へ持ち上げれば、係合突起２５と爪部２８との係合、および、第１の係合部と第２の係合部との係合は容易に外れ、取外しもごく簡単に行える。
【００４９】
一方、長時間運転すると加湿手段４に汚れが付着してくるので、加湿手段４を取り出して水洗い等のお手入れをすることとなる。
【００５０】
この作業は、まず給水容器６を取り外し、それから加湿手段４を本体ケース３から取り出す。
【００５１】
この取出し時、貯水容器１２から上方へ突出し、左右方向が本体ケース側平面部２６の左右方向寸法より広く張設した加湿フィルター１３を取り出すが、加湿手段４に一体的に取り付けられている吸込部９が、加湿フィルター１３より高い着脱平面部３０と、その両側方に着脱側面部３１を有しているので、加湿フィルター１３は貯水容器１２とともに簡単に取り出すことができ、加湿手段４のお手入れのための着脱作業も容易なものとなる。
【００５２】
また、加湿手段４を取り出すと、いっしょに取り外される吸込部９の吸込開口８に設けられた除塵フィルター１１も取り出され、除塵フィルター１１を忘れずに清掃することができる。
【００５３】
（実施の形態２）
本発明の実施の形態２の小型加湿機は、図７に示すように、上記実施の形態１の小型加湿機に対し、給水容器６Ａのキャップ部２１Ａに特徴がある。
【００５４】
すなわち、キャップ部２１Ａは、円筒部２３Ａに下方が開口した切欠きを形成せず、給水弁２０を設けた下面から下方へわずかに延びる高さの円筒部２３Ａとしている。
【００５５】
円筒部は、従来より、キャップ部を着脱するのにつまみやすく、また、その先端部で位置決めしたりするために、ある程度の長さを有し、そして、加湿フィルターへ安定して水を供給することができる水位の高さに切欠きの上端縁が位置するように給水容器を配設している。
【００５６】
そのため、従来の給水容器は、貯水容器から取り外すと円筒部に貯水容器の水が多量に付着して取り外されるので、まわりを濡らしてしまうことがある。
【００５７】
小型加湿機の給水容器は片手で簡単に取り外して持ち運ぶことができるので、ついうっかりして、まわりを濡らしてしまうことが多くなる。
【００５８】
そこで、本実施の形態２の小型加湿機は、円筒部２３Ａを、その下端開口面が加湿フィルター１３へ安定して水を供給できる水位の高さに位置する短い長さとしている。
【００５９】
これにより、貯水容器１２では円筒部２３Ａの下端開口面まで給水されると給水が止まり、円筒部２３Ａの濡れる範囲は下端開口縁だけとなって水の付着量はわずかとなり、給水容器６Ａを水の滴下に十分に注意を払って取り外さなくても、水の滴下によってまわりを濡らしてしまうことがなくなる。
【００６０】
（実施の形態３）
本発明の実施の形態３の静電霧化手段搭載の小型加湿機は、図８に示すように、上記実施の形態１の小型加湿機に対し、送風機５の下流側の通風路１０Ａに静電霧化手段３３を配設しことを特徴とし、おもに事務所や勉強部屋の空気の乾燥時に、使用者個人のまわりを快適な湿度状態にする加湿流にウイルスを無力化する帯電微細水滴を放出する静電霧化手段３３を搭載したものである。
【００６１】
本実施の形態３の静電霧化手段搭載の小型加湿機では、デスク上で機器を置くために占めるスペースを極力小さくするために、静電霧化手段３３を送風機５の上方に配設し、本体ケース３Ａが高さＨ方向に長くなる構成としており、これにともなって給水容器６Ａの長さも長くなり、上記実施の形態１の小型加湿機における作用効果に相当する作用効果は、より顕著なものとなる。
【産業上の利用可能性】
【００６２】
本発明に係る小型加湿機は、本体ケースの側面に給水容器を容易に、かつ、外表面を汚さずに着脱できるという効果を有し、設置スペースが狭く、使用者の目に触れやすい場所に置かれる加湿機に有用である。
【符号の説明】
【００６３】
１      吹出口
３      本体ケース
３Ａ    本体ケース
４      加湿手段
５      送風機
６      給水容器
７      吸込口
１０    通風路
１０Ａ  通風路
１２    貯水容器
１３    加湿フィルター
１７    給水容器側平面部
１８    給水口
１９    容器部
２０    給水弁
２１Ａ  キャップ部
２３Ａ  円筒部
２４    容器側突部
２５    係合突起
２６    本体ケース側平面部
２７    本体側突部
２８    爪部
２９    当接突起
３０    着脱平面部
３１    着脱側面部
３２    隙間
３３    静電霧化手段
【図１】
0005348086.tif 000002
【図２】
0005348086.tif 000003
【図３】
0005348086.tif 000004
【図４】
0005348086.tif 000005
【図５】
0005348086.tif 000006
【図６】
0005348086.tif 000007
【図７】
0005348086.tif 000008
【図８】
0005348086.tif 000009